【手続補正書】
【提出日】平成15年9月17日(2003.9.17)
【手続補正１】
【補正対象書類名】明細書
【補正対象項目名】特許請求の範囲
【補正方法】変更
【補正の内容】
【特許請求の範囲】
【請求項１】
蓄積されている複数の文書データから検索条件に最も近い文書データを検索し、出力する検索装置において、
複数の文書データと前記文書データに付加されたキーワードを蓄積しているデータベース部と、前記データベースに蓄積された文書を指定する文書データ指定部と、前記指定された文書データに付加されているキーワードを前記データベースから検索する検索者指定文書キーワード検出部と、類似検索のための検索キーワードと検索結果を蓄積する検索履歴管理部と、前記検索者指定文書キーワード検出部で得られたキーワードと前記検索履歴管理部に蓄えられている履歴情報から類似検索のためのキーワードを生成する類似検索キーワード決定部と、前記データベース中の文書データそれぞれについて、前記類似検索キーワード決定部により生成された検索キーワードとの適合度を求める類似文書データ検索部と、前記文書データの適合度から文書データの表示属性量を計算する類似文書データ表示属性量計算部と、前記類似文書データ表示属性量計算部の計算結果に基づいて前記データベース中の文書データを表示する文書データ表示部を備えたことを特徴とする検索装置。
【請求項２】
蓄積されている複数の文書データから検索条件に最も近い文書データを検索し、出力する検索装置において、
複数の文書データと前記文書データに付加されたキーワードを蓄積しているデータベース部と、前記データベースに蓄積された文書を指定する文書データ指定部と、前記指定された文書データに付加されているキーワードを前記データベースから検索する検索者指定文書キーワード検出部と、前記指定された文書データに付けられている番号と類似検索のための検索キーワードと検索結果を蓄積する検索履歴管理部と、前記検索履歴管理部に記憶されている前記指定された文書データの番号と検索キーワードの時系列的な履歴情報からフラクタル次元を計算するフラクタル次元計算部と、前記検索者指定文書キーワード検出部で得られたキーワードと前記検索履歴管理部に蓄えられている履歴情報と前記フラクタル次元計算部の計算結果から類似検索のためのキーワードを生成する類似検索キーワード決定部と、前記データベース中の文書データそれぞれについて、前記類似検索キーワード決定部により生成された検索キーワードとの適合度を求める類似文書データ検索部と、前記文書データの適合度から文書データの表示属性量を計算する類似文書データ表示属性量計算部と、前記類似文書データ表示属性量計算部の計算結果に基づいて前記データベース中の文書データを表示する類似文書データ表示部とを備えたことを特徴とする検索装置。
【請求項３】
蓄積されている複数の文書データから検索条件に最も近い文書データを検索し、出力する検索装置において、
複数の文書データと前記文書データに付加されたキーワードを記憶しているデータベース部と、前記データベースに蓄積された文書を指定する文書データ指定部と、前記指定された文書データに付加されているキーワードを前記データベースから検索する検索者指定文書キーワード検出部と、前記指定された文書データに付けられている番号と類似検索のための検索キーワードと検索結果を蓄積する検索履歴管理部と、前記検索履歴管理部に記憶されている前記指定された文書データの番号と検索キーワードの時系列的な履歴情報からフラクタル次元を計算するフラクタル次元計算部と、前記検索者指定文書キーワード検出部で得られたキーワードと前記検索履歴管理部に蓄えられている履歴情報と前記フラクタル次元計算部の計算結果からファジィ集合を用いた類似検索のためのキーワードを生成する類似検索キーワード決定部と、前記類似検索キーワード決定部で生成されるキーワードに用いられている前記ファジィ集合を定義するためのメンバシップ関数を記憶するメンバシップ関数記憶部と、前記データベース中の文書データそれぞれについて、前記メンバシップ関数記憶部に格納されているメンバシップ関数の定義を基に前記類似検索キーワード決定部により生成されたキーワードとの適合度を求める類似文書データ検索部と、前記文書データの適合度から文書データの表示属性量を計算する類似文書データ表示属性量計算部と、前記類似文書データ表示属性量計算部の計算結果に基づいて前記データベース中の文書データを表示する文書データ表示部とを備えたことを特徴とする検索装置。
【請求項４】
蓄積されている複数のデータから検索条件に適応するデータを検索し、出力する検索装置であって、
複数のデータと前記各データに付加された属性値又はキーワードとを蓄積しているデータベース部と、指定された対象データに付加されている属性値又はキーワードを前記データベースから検索するキーワード検出部と、前記データベース部に蓄積されたデータに対して、指定された対象データに付加された属性値又はキーワードとの類似の適合度を計算する計算部と、前記計算部の計算結果に基づいてデータを表示する表示属性量を決定しデータを表示するデータ表示部を備えたことを特徴とする検索装置。
【請求項５】
前記表示属性量は、表示位置、表示データの重なり深度、表示明度、表示大きさの少なくとも１つである請求項４記載の検索装置。
【請求項６】
前記表示属性量は、表示位置であり、類似適合度が大きいデータを対象データの近くに表示する請求項４記載の検索装置。
【請求項７】
前記データベース部に、テキストデータ、画像データ、音声データ、及び動画データのうち少なくとも一種が蓄積されている請求項４から６のいずれかに記載の検索装置。
【請求項８】
コンピュータを用いて、蓄積されている複数のデータから検索条件に適応するデータを検索し、出力する検索方法であって、
前記複数のデータと前記各複数のデータに付加された属性値又はキーワードとを蓄積しているデータベースから指定された対象データに付加されている属性値又はキーワードを検索するキーワード検出ステップと、
前記データベースに蓄積されたデータに対して、前記指定された対象データに付加された属性値又はキーワードとの類似の適合度を計算する計算ステップと、
前記計算ステップの計算結果に基づいてデータを表示する表示属性量を決定しデータを表示するステップとを備えたことを特徴とする検索方法。
【請求項９】
前記表示属性量は、表示位置、表示データの重なり深度、表示明度、表示データの大きさの少なくとも１つである請求項８記載の検索方法。
【請求項１０】
前記表示属性量は、表示データの重なり深度であり、類似適合度が大きいデータを上層に表示する請求項８記載の検索方法。
【請求項１１】
前記表示属性量は、表示データの大きさであり、類似適合度が大きいデータを大きく表示する請求項８記載の検索方法。
【請求項１２】
前記データベース部に、テキストデータ、画像データ、音声データ、及び動画データのうち少なくとも一種が蓄積されている請求項８から１１のいずれかに記載の検索方法。
【手続補正２】
【補正対象書類名】明細書
【補正対象項目名】００１３
【補正方法】変更
【補正の内容】
【００１３】
かかる構成により、類似検索の条件緩和を対話的に進めながらより柔軟に行なうことができる。また検索履歴から検索処理の周期性を把握でき、周期的な繰り返しである場合に類似検索の条件緩和する属性を別の属性に動的に変更する処理ができる。
また、本発明の検索装置は、蓄積されている複数のデータから検索条件に適応するデータを検索し、出力する検索装置であって、複数のデータと前記各データに付加された属性値又はキーワードとを蓄積しているデータベース部と、指定された対象データに付加されている属性値又はキーワードを前記データベースから検索するキーワード検出部と、前記データベース部に蓄積されたデータに対して、指定された対象データに付加された属性値又はキーワードとの類似の適合度を計算する計算部と、前記計算部の計算結果に基づいてデータを表示する表示属性量を決定しデータを表示するデータ表示部を備えたものであっても良い。
更に、上記目的を達成するために、本発明の検索方法は、コンピュータを用いて、蓄積されている複数のデータから検索条件に適応するデータを検索し、出力する検索方法であって、前記複数のデータと前記各複数のデータに付加された属性値又はキーワードとを蓄積しているデータベースから指定された対象データに付加されている属性値又はキーワードを検索するキーワード検出ステップと、
前記データベースに蓄積されたデータに対して、前記指定された対象データに付加された属性値又はキーワードとの類似の適合度を計算する計算ステップと、
前記計算ステップの計算結果に基づいてデータを表示する表示属性量を決定しデータを表示するステップとを備えたことを特徴とする。